(57)【要約】【課題】上空で電波を発信および受信する場合であっても、反射器で反射した電波を検出できるようにすることを目的とする。【解決手段】反射器１０は、球体状の本体部１１と、本体部１１の中心部分を中心にして放射状に突き出ている複数の導線１２とを備える。反射器１０は、全体として、海栗または毬栗のような球体状を成す。複数の導線１２のうち少なくともいずれかの導線１２は、特定の振動方向に振動しながら入射する電波を、特定の振動方向とは異なる方向に振動させて、電波が入射した入射方向へ反射する。飛行体に搭載されたレーダー装置は、特定の振動方向に振動する電波を発信し、特定の振動方向とは異なる方向に振動する電波を受信する。そして、受信した電波の信号強度が検出閾値より大きい場合、レーダー装置は、電波を発信した方向に反射器１０が存在すると判定する。【選択図】図５
2014096646.tif 000002
【特許請求の範囲】
【請求項１】
本体部と、
前記本体部に異なる向きで設けられる線状の複数の電波散乱体とを備え、
前記複数の電波散乱体のうち少なくともいずれかの電波散乱体が、特定の振動方向に振動しながら入射する電波を、前記特定の振動方向とは異なる方向に振動させて、前記電波が入射した入射方向へ反射する
ことを特徴とする反射器。
【請求項２】
前記本体部が立体形状を成し、前記複数の電波散乱体が前記本体部の外周全体に配置される、ことを特徴とする請求項１記載の反射器。
【請求項３】
前記複数の電波散乱体が前記本体部の外周全体に配置されるように、前記複数の電波散乱体のそれぞれが前記本体部から突き出ている、ことを特徴とする請求項２記載の反射器。
【請求項４】
前記複数の電波散乱体が前記本体部の中心部分を中心にして放射状に前記本体部から突き出ている、ことを特徴とする請求項３記載の反射器。
【請求項５】
前記本体部が球体状を成すと共に、前記複数の電波散乱体が前記本体部の中心部分を中心にして放射状に前記本体部から突き出ていることによって、全体として球体状を成すことを特徴とする請求項４記載の反射器。
【請求項６】
前記本体部が立体形状を成すと共に、前記複数の電波散乱体が前記本体部の一部の外周部分に配置されるように前記複数の電波散乱体が前記本体部の中心部分を中心にして放射状に前記本体部から突き出ている、ことを特徴とする請求項１記載の反射器。
【請求項７】
前記本体部が電波を透過する電波透過材である、ことを特徴とする請求項１から請求項６いずれかに記載の反射器。
【請求項８】
検出対象である移動体に取り付けられることを特徴とする請求項１から請求項７いずれかに記載の反射器。
【請求項９】
前記本体部が平面状のシートであり、前記複数の電波散乱体が異なる向きで前記シートに平面状に並べて配置される、ことを特徴とする請求項１記載の反射器。
【請求項１０】
前記複数の電波散乱体が前記シートの全体にランダムな向きで配置される、ことを特徴とする請求項９記載の反射器。
【請求項１１】
前記シートが電波を透過する電波透過材であることを特徴とする請求項９または請求項１０記載の反射器。
【請求項１２】
検出対象である移動体の少なくとも一部の表面に設けられることを特徴とする請求項９から請求項１１いずれかに記載の反射器。
【請求項１３】
線状の複数の電波散乱体を含み、塗布されることによって前記複数の電波散乱体のうち少なくともいずれかの電波散乱体が特定の振動方向に振動しながら入射する電波を前記特定の振動方向とは異なる方向に振動させて前記電波が入射した入射方向へ反射する
ことを特徴とする反射塗料。
【請求項１４】
検出対象である移動体の少なくとも一部の表面に塗布されることを特徴とする請求項１３記載の反射塗料。
【請求項１５】
特定の振動方向に振動する電波を発信偏波として発信する偏波発信部と、
前記偏波発信部によって発信された前記発信偏波が進行した進行先で反射して後方散乱した電波を受信偏波として受信する偏波受信部と、
前記偏波受信部によって受信された受信偏波のうち前記発信偏波と異なる振動方向に振動する受信偏波の受信結果に基づいて、前記発信偏波を前記発信偏波と異なる振動方向に振動させて反射する反射体が前記進行先に位置しているか否かを判定する反射体検出部とを備えることを特徴とする反射体検出装置。
【請求項１６】
前記反射体の上空を飛行する飛行体に備えられ、前記反射体の上空で前記発信偏波を発信して前記受信偏波を受信する、ことを特徴とする請求項１５記載の反射体検出装置。
【発明の詳細な説明】
【技術分野】
【０００１】
本発明は、移動体を検出するための反射器、反射塗料および反射体検出装置に関するものである。
【背景技術】
【０００２】
図９は、従来のリフレクター９０を示す図である。
リフレクター９０（反射器の一例）は、漁船やプレジャーボートなどの船舶（特に小型船舶）に取り付けられる。
例えば、遭難した船舶を捜索する場合、沿岸または海上に設けられたレーダー装置がレーダー波（電波の一例）を発信し、船舶に取り付けられたリフレクター９０に反射して後方散乱するレーダー波を受信し、船舶の位置を検出する。
【０００３】
図９に示すリフレクター９０は、三面コーナーリフレクターとも呼ばれ、レーダー波がどの入射方向から入射してもその入射方向へ強い反射を起こすために３つの面を直交させた三面コーナー９１を複数備える。
三面コーナー９１は、入射したレーダー波を入射面で反射すると共に、入射面で反射したレーダー波を入射面とは別の面でさらに反射することによって、レーダー波が入射した方向と同じ方向へレーダー波を反射させる。
【０００４】
しかし、沿岸または海上からのレーダー波が届かない広い範囲を捜索したい場合、上空でレーダー波を発信および受信する必要がある。
この場合、上空のレーダー装置は海面で反射して後方散乱したレーダー波も受信してしまうため、受信したレーダー波が船舶のリフレクター９０で反射したものか、または海面で反射したものかを区別することが困難である。
【０００５】
また、リフレクターに関して以下のような特許文献が公開されている。
特許文献１は、最良の広帯域特性を得るためのダイポール格子について開示している。
特許文献２は、凹曲面形状の反射板について開示している。
特許文献３は、平面状に平行に並べられた複数の直線状の導電体を備える反射鏡について開示している。
特許文献４は、所望の周波数で電波を反射するためのリフレクトアレイについて開示している。
【先行技術文献】
【特許文献】
【０００６】
【特許文献１】特開昭６１−０６５６０５号公報
【特許文献２】特開昭６２−１１８６１２号公報
【特許文献３】特開２００２−１７１１２１号公報
【特許文献４】特開２０１１−１０９２６４号公報
【発明の概要】
【発明が解決しようとする課題】
【０００７】
本発明は、例えば、上空で電波を発信および受信する場合であっても、反射器で反射した電波を検出できるようにすることを目的とする。
【課題を解決するための手段】
【０００８】
本発明の反射器は、
本体部と、
前記本体部に異なる向きで設けられる線状の複数の電波散乱体とを備え、
前記複数の電波散乱体のうち少なくともいずれかの電波散乱体が、特定の振動方向に振動しながら入射する電波を、前記特定の振動方向とは異なる方向に振動させて、前記電波が入射した射方向へ反射する。
【０００９】
前記本体部が立体形状を成し、前記複数の電波散乱体が前記本体部の外周全体に配置される。
【００１０】
前記複数の電波散乱体が前記本体部の外周全体に配置されるように、前記複数の電波散乱体のそれぞれが前記本体部から突き出ている。
【００１１】
前記複数の電波散乱体が前記本体部の中心部分を中心にして放射状に前記本体部から突き出ている。
【００１２】
前記本体部が球体状を成すと共に、前記複数の電波散乱体が前記本体部の中心部分を中心にして放射状に前記本体部から突き出ていることによって、前記反射器は全体として球体状を成す。
【００１３】
前記本体部が立体形状を成すと共に、前記複数の電波散乱体が前記本体部の一部の外周部分に配置されるように前記複数の電波散乱体が前記本体部の中心部分を中心にして放射状に前記本体部から突き出ている。
【００１４】
前記本体部が電波を透過する電波透過材である。
【００１５】
前記反射器は検出対象である移動体に取り付けられる。
【００１６】
前記本体部が平面状のシートであり、前記複数の電波散乱体が異なる向きで前記シートに平面状に並べて配置される。
【００１７】
前記複数の電波散乱体が前記シートの全体にランダムな向きで配置される。
【００１８】
前記シートが電波を透過する電波透過材である。
【００１９】
前記反射器は検出対象である移動体の少なくとも一部の表面に設けられる。
【００２０】
本発明の反射塗料は、
線状の複数の電波散乱体を含み、塗布されることによって前記複数の電波散乱体のうち少なくともいずれかの電波散乱体が特定の振動方向に振動しながら入射する電波を前記特定の振動方向とは異なる方向に振動させて前記電波が入射した入射方向へ反射する。
【００２１】
前記反射塗料は、検出対象である移動体の少なくとも一部の表面に塗布される。
【００２２】
本発明の反射体検出装置は、
特定の振動方向に振動する電波を発信偏波として発信する偏波発信部と、
前記偏波発信部によって発信された前記発信偏波が進行した進行先で反射して後方散乱した電波を受信偏波として受信する偏波受信部と、
前記偏波受信部によって受信された受信偏波のうち前記発信偏波と異なる振動方向に振動する受信偏波の受信結果に基づいて、前記発信偏波を前記発信偏波と異なる振動方向に振動させて反射する反射体が前記進行先に位置しているか否かを判定する反射体検出部とを備える。
【００２３】
前記反射体検出装置は前記反射体の上空を飛行する飛行体に備えられ、前記反射体の上空で前記発信偏波を発信して前記受信偏波を受信する。
【発明の効果】
【００２４】
本発明によれば、例えば、上空で電波を発信および受信する場合であっても、反射器で反射した電波を検出することができる。
【図面の簡単な説明】
【００２５】
【図１】実施の形態１における反射器１０を取り付けた船舶の捜索方法を示す概要図。
【図２】実施の形態１におけるＳＡＲ衛星２２およびＳＡＲ処理装置３０の機能構成図。
【図３】実施の形態１における偏波観測に関する概要図。
【図４】実施の形態１における偏波観測のシミュレーション結果を表すグラフ。
【図５】実施の形態１における反射器１０の一例を示す図。
【図６】実施の形態１における反射器１０の別例を示す図。
【図７】実施の形態１における反射器１０の別例を示す図。
【図８】実施の形態２における反射シート５０を表す図。
【図９】従来のリフレクター９０を示す図。
【発明を実施するための形態】
【００２６】
実施の形態１．
上空で電波を発信および受信する場合であっても、反射器で反射した電波を検出できるようにする形態について説明する。
【００２７】
図１は、実施の形態１における反射器１０を取り付けた船舶の捜索方法を示す概要図である。
実施の形態１における反射器１０を取り付けた船舶の捜索方法の概要について、図１に基づいて説明する。図中において、矢印はレーダー波（電波、偏波の一例）を表している。
【００２８】
反射器１０を取り付けた船舶（図示省略）を捜索する場合、レーダー装置を搭載した捜索船舶２１は海上でレーダー波を発信し、海面２０または反射器１０に反射して後方散乱したレーダー波を受信する。
以下、レーダー波の入射角とは、垂直方向（鉛直方向ともいう）と、発信したレーダー波の進行方向とが成す角度を意味する。
【００２９】
捜索船舶２１から発信されるレーダー波の入射角θＨは高入射角であり、海面２０に対する角度が小さい（水平に近い）。
このため、捜索船舶２１から発信されるレーダー波は海面２０で鏡面反射し易く、海面２０からの後方散乱が小さい。つまり、海面２０で反射して後方散乱するレーダー波の強度は、反射器１０で反射して後方散乱するレーダー波の強度に比べて十分に低い。
したがって、捜索船舶２１で強いレーダー波を受信した場合、レーダー波を発信した方向に、反射器１０を取り付けた船舶が存在すると考えられる。
海上の捜索船舶２１ではなく、沿岸（または沿岸以外の地上）に設けたレーダー装置によって船舶を捜索する場合も、船舶の捜索方法は同様である。
【００３０】
しかし、海上または沿岸からでは限られた範囲でしかレーダー波を発信および受信することができないため、広範囲を捜索することができない。
このため、広範囲を捜索するためには上空でレーダー波を発信および受信する必要がある。
【００３１】
そこで、レーダー装置を搭載したＳＡＲ衛星２２は上空でレーダー波を発信し、海面２０または反射器１０に反射して後方散乱したレーダー波を受信する。
ＳＡＲ衛星２２はＳＡＲ（合成開口レーダー）を搭載した人工衛星であり、例えば、地上を映したレーダー画像を生成するために利用されている。
但し、ＳＡＲ衛星２２以外の人工衛星、航空機または気球などの飛行体にレーダー装置を搭載し、船舶の捜索を行っても構わない。
【００３２】
ＳＡＲ衛星２２から発信されるレーダー波の入射角θＬは低入射角であり、海面２０に対する角度が大きい（垂直に近い）。
このため、ＳＡＲ衛星２２からレーダー波を発信した場合、海面２０からの後方散乱が大きく、海面２０で反射して後方散乱するレーダー波の強度は反射器１０で反射して後方散乱するレーダー波の強度に比べて同等または大きい。
但し、海面２０で反射して後方散乱するレーダー波であっても、発信されたレーダー波（例えば、水平偏波）の振動方向とは別の方向に振動して後方散乱するレーダー波（例えば、垂直偏波）の強度は十分に小さい。
【００３３】
そこで、実施の形態１における反射器１０は、以下のような特徴を有する。
反射器１０は、特定の振動方向（例えば、水平方向）に振動しながら入射するレーダー波を、特定の振動方向とは異なる方向に振動させて反射する。
【００３４】
図２は、実施の形態１におけるＳＡＲ衛星２２およびＳＡＲ処理装置３０の機能構成図である。
実施の形態１におけるＳＡＲ衛星２２およびＳＡＲ処理装置３０の機能構成について、図２に基づいて説明する。
【００３５】
ＳＡＲ衛星２２はＳＡＲ２３およびＳＡＲ処理装置３０（反射体検出装置の一例）を備え、ＳＡＲ処理装置３０はレーダー波送信部３１（偏波発信部の一例）、レーダー波受信部３２（偏波受信部の一例）、船舶検出部３３（反射体検出部の一例）およびＳＡＲ画像生成部３９を備える。
【００３６】
レーダー波送信部３１は、ＳＡＲ２３を制御し、特定の振動方向に振動するレーダー波（例えば、水平偏波）をＳＡＲ２３から送信（発信）する。
レーダー波送信部３１によって送信されたレーダー波は、レーダー波が伝播した伝播先で反射して後方散乱し、ＳＡＲ２３に到達する。
レーダー波受信部３２は、ＳＡＲ２３に到達したレーダー波を受信する。
【００３７】
船舶検出部３３は、レーダー波受信部３２によって受信されたレーダー波のうち送信されたレーダー波と異なる振動方向（例えば、垂直偏波）に振動するレーダー波の受信結果に基づいて、反射器１０を取り付けた船舶（反射体の一例）がレーダー波の進行先に位置しているか否かを判定する。
例えば、船舶検出部３３は、受信されたレーダー波の信号強度（信号値、振幅値または電力値ともいう）と所定の検出閾値とを比較する。そして、受信されたレーダー波の受信強度が検出閾値より大きい場合、船舶検出部３３は、反射器１０を取り付けた船舶がレーダー波の伝播先に位置していると判定する。
【００３８】
ＳＡＲ画像生成部３９は、レーダー波受信部３２によって受信されたレーダー波のアナログ信号またはそのアナログ信号を変換したデジタル信号に対してレンジ圧縮およびアジマス圧縮などのＳＡＲ画像処理を行い、ＳＡＲ画像を生成する。生成されるＳＡＲ画像は、レーダー波が照射された範囲内の海面２０および船舶を表す。
【００３９】
但し、レーダー、レーダー波送信部３１、レーダー波受信部３２および船舶検出部３３を備える船舶検出装置（反射体検出装置の一例）を、ＳＡＲ衛星２２以外の飛行体、捜索船舶２１または地上（沿岸など）の施設などに設けて、船舶の捜索を行ってもよい。
【００４０】
図３は、実施の形態１における偏波観測に関する概要図である。
図３の（１）は、送信部が水平方向に振動する水平偏波（Ｈ）を送信し、受信部が水平偏波（Ｈ）を受信するＨＨ観測を表す。
図３の（２）は、送信部が垂直方向に振動する垂直偏波（Ｖ）を送信し、受信部が垂直偏波（Ｖ）を受信するＶＶ観測を表す。
図３の（３）は、送信部が水平偏波（Ｈ）を送信し、受信部が垂直偏波（Ｖ）を受信するＨＶ観測を表す。
【００４１】
例えば、ＳＡＲ処理装置３０（図２参照）の船舶検出部３３は、図３の（３）が表すＨＶ観測によって、反射器１０を取り付けた船舶の検出を行う。
つまり、船舶検出部３３は、送信されたレーダー波（Ｈ）と異なる振動方向に振動するレーダー波（Ｖ）の受信結果に基づいて、反射器１０を取り付けた船舶の検出を行う。
【００４２】
但し、船舶検出部３３は、送信されたレーダー波の振動方向と受信されたレーダー波の振動方向とが異なる別の偏波観測によって、反射器１０を取り付けた船舶の検出を行ってもよい。
例えば、船舶検出部３３は、送信部が垂直偏波（Ｖ）を送信し、受信部が水平偏波（Ｈ）を受信するＶＨ観測によって、反射器１０を取り付けた船舶を検出してもよい。
また、水平偏波（Ｈ）および垂直偏波（Ｖ）の振動方向の角度には、所定の幅を持たせて構わない。例えば、水平方向に対してマイナス１０度からプラス１０度までの範囲内で振動する偏波を水平偏波（Ｈ）として扱って構わない。垂直偏波（Ｖ）についても同様である。
【００４３】
図４は、実施の形態１における偏波観測のシミュレーション結果を表すグラフである。
図４の（１）はＨＨ観測のシミュレーション結果を表し、図４の（２）はＶＶ観測のシミュレーション結果を表し、図４の（３）はＨＶ観測のシミュレーション結果を表す。また、各グラフの縦軸は後方散乱係数を示し、横軸は入射角を示す。後方散乱係数とは、後方散乱して受信されるレーダー波の信号強度を表す係数である。
それぞれのグラフ内に含まれる太い曲線は、海面２０で反射して後方散乱したレーダー波（以下、「海面散乱４１」という）の後方散乱係数を示す。また、細い横線は、反射器１０で反射して後方散乱したレーダー波（以下、「反射器散乱４２」という）の後方散乱係数を示す。
【００４４】
反射器散乱４２の後方散乱係数が海面散乱４１の後方散乱係数より大きい場合、海面散乱４１の後方散乱係数より大きく反射器散乱４２の後方散乱係数より小さい検出閾値と受信したレーダー波の後方散乱係数とを比較することにより、反射器散乱４２を判別して反射器１０を検出することができる。
つまり、受信したレーダー波の後方散乱係数が検出閾値より大きければ、受信したレーダー波は反射器散乱４２であり、レーダー波を受信した方向（レーダー波を送信した方向と同じ）に反射器１０が存在する。
【００４５】
図４の（１）（２）に示すように、ＨＨ観測またはＶＶ観測において入射角が小さい場合、つまり、上空でレーダー波を送信および受信する場合、海面散乱４１の後方散乱係数の方が反射器散乱４２の後方散乱係数より大きいため、反射器散乱４２を判別することができない。
一方、図４の（３）に示すＨＶ観測のように、送信するレーダー波の振動方向と受信するレーダー波の振動方向とが異なる場合、海面散乱４１は発生しないため、反射器散乱４２を判別して反射器１０を検出することができる。
そのため、反射器１０は、入射したレーダー波の振動方向を変化させて後方散乱する。また、ＳＡＲ処理装置３０（図２参照）の船舶検出部３３は、送信したレーダー波と異なる振動方向に振動するレーダー波の受信結果（後方散乱係数）に基づいて、反射器１０を取り付けた船舶を検出する。
【００４６】
図５は、実施の形態１における反射器１０の一例を示す図である。
実施の形態１における反射器１０の一例について、図５に基づいて説明する。
【００４７】
反射器１０は、球体の本体部１１と、本体部１１の中心部分を中心にして放射状に本体部１１から突き出ている複数の導線１２とを備える。
反射器１０は、全体として、海栗または毬栗のような球体状を成す。
【００４８】
複数の導線１２は、反射器１０へ入射するレーダー波を導線１２の向きに応じた方向に振動させて反射する。
導線１２は細長い線状（棒状ともいう）の導体であり、双極子またはダイポールアンテナとも呼ばれる。電流を流す金属線は導線１２の一例である。但し、導線１２の代わりに、誘電体で作られた誘電体線（例えば、細長い木材）を用いても構わない。なお、導線１２および誘電体線は、電波を反射して散乱させる電波散乱体の一例である。
本体部１１から突き出す導線１２の本数は、多ければ多いほどよい。
【００４９】
本体部１１から突き出る部分の導線１２の長さは長ければ長いほど良く、導線１２の太さは細ければ細いほど良い。
例えば、導線１２の長さは、レーダー波の波長より長い方がよい。但し、導線１２の長さはレーダー波の波長程度であっても構わない。
また、導線１２の断面の幅（例えば、直径）は、レーダー波の波長の１０分の１より短い方がよい。但し、導線１２の断面の幅はレーダー波の波長の１０分の１程度であっても構わない。
【００５０】
例えば、レーダー波がＸバンド（波長：３ｃｍ）の電波である場合、導線１２の長さは３ｃｍ程度または３ｃｍ以上であり、導線１２の断面の幅は３ｍｍ程度または３ｍｍ以下である。
また、レーダー波がＬバンド（波長：２４ｃｍ）の電波である場合、導線１２の長さは２４ｃｍ程度または２４ｃｍ以上であり、導線１２の断面の幅は２４ｍｍ程度または２４ｍｍ以下である。
【００５１】
導線１２の断面形状は、円、三角形、四角形またはその他の多角形など、どのような形状であっても構わない。つまり、導線１２は、円柱状、三角柱状、四角柱状またはその他の多角柱状など、どのような形状であっても構わない。
【００５２】
複数の導線１２を放射状に配置することにより、複数の導線１２を異なる向きで配置することができる。
これにより、どの方向からレーダー波が入射しても、少なくともいずれかの導線１２がレーダー波の振動方向を変えて入射方向へ後方散乱することができる。
【００５３】
本体部１１は、発泡スチロールまたはプラスチックなど、レーダー波を透過できる電波透過材を用いて作られたものである。
本体部１１を電波透過材で作ることにより、反射器１０に入射したレーダー波を本体部１１の裏側に設けた導線１２で反射して後方散乱させることができる。
【００５４】
例えば、反射器１０は、球体状の発泡スチロール（本体部１１の一例）に複数の針金（導線１２の一例）を突き刺して作成される。
また、複数の針金の代わりに細長い串状の木材（誘電体線の一例）を球体状の発泡スチロールに突き刺して反射器１０を作成してもよい。
【００５５】
図６および図７は、実施の形態１における反射器１０の別例を示す図である。
図６の（１）に示すように、反射器１０の本体部１１の形状は、三角錐状またはその他の形状（例えば、直方体）であっても構わない。図６の（１）に示す反射器１０は、本体部１１の表面に対して垂直に複数の導線１２を備えている。
図６の（２）に示すように、反射器１０の本体部１１は半球状であっても構わない。また、複数の導線１２は本体部１１の全体ではなく部分的に設けても構わない。図６の（２）に示す反射器１０は、半球状の本体部１１の球面部分に複数の導線１２を備え、半球状の本体部１１の底面部分には導線１２を備えていない。
図７の（３）に示すように、複数の導線１２は、本体部１１から突き出さずに、本体部１１の表面に沿って平面状に並べて配置しても構わない。
図７の（４）に示すように、本体部１１の正面および裏面に導線１２を設けず、本体部１１の側面を一周させるように複数の導線１２を並べてもよい。また、本体部１１の側面部分に回転軸１３を設け、回転軸１３を軸にして本体部１１を回転させても構わない。
【００５６】
図５から図７に示すような反射器１０が船舶に取り付けられることにより、ＳＡＲ衛星２２のＳＡＲ処理装置３０（図２参照）は、反射器１０が取り付けられた船舶を捜索することができる。
但し、反射器１０は船舶以外の移動体（例えば、自動車）に取り付けて、船舶以外の移動体を捜索するために用いても構わない。
【００５７】
実施の形態１により、広範囲の捜索を行うために上空でレーダー波を発信および受信する場合であっても反射器１０で反射したレーダー波を検出し、反射器１０が取り付けられた移動体（例えば、船舶）を捜索することができる。
【００５８】
また、どの向きに振動する偏波をどのくらいの強度で後方散乱するかを示す偏波特性を予め調べた反射器１０を用いることにより、以下のように、多偏波レーダーの校正（キャリブレーションともいう）を行うことができる。
ＳＡＲ処理装置３０は、受信した後方散乱の強度と、予め調べた反射器１０の既知の後方散乱の強度とを比較し、比較結果（強度差）に応じて各種の校正を行う。例えば、受信した後方散乱の強度が既知の後方散乱の強度の２倍の値であった場合、ＳＡＲ処理装置３０は、受信した後方散乱の強度の値を２分の１の値に補正し、補正後の後方散乱のデータを用いてＳＡＲ画像を生成する。
特に、図５または図６の（２）に示した反射器１０は、各偏波がどの入射角（またはオフナディア角）から入射した場合であっても同じ強度で後方散乱する形状であるため、幅広い入射角で電波の出力を行う多偏波レーダーを校正するために有効的である。
【００５９】
実施の形態１において、例えば、以下のような反射器（１０）について説明した。括弧内に実施の形態で説明した構成のうち対応する構成の符号または名称を示す。
反射器は、本体部（１１）と、前記本体部に異なる向きで設けられる線状の複数の電波散乱体（１２）とを備える。
前記複数の電波散乱体のうち少なくともいずれかの電波散乱体が、特定の振動方向に振動しながら入射する電波を、前記特定の振動方向とは異なる方向に振動させて、前記電波が入射した入射方向へ反射する。
【００６０】
前記本体部が立体形状を成し、前記複数の電波散乱体が前記本体部の外周全体に配置される。
前記複数の電波散乱体が前記本体部の外周全体に配置されるように、前記複数の電波散乱体のそれぞれが前記本体部から突き出ている。
前記複数の電波散乱体が前記本体部の中心部分を中心にして放射状に前記本体部から突き出ている。
前記本体部が球体状を成すと共に、前記複数の電波散乱体が前記本体部の中心部分を中心にして放射状に前記本体部から突き出ていることによって、反射器は全体として球体状を成す。
前記本体部が立体形状を成すと共に、前記複数の電波散乱体が前記本体部の一部の外周部分に配置されるように前記複数の電波散乱体が前記本体部の中心部分を中心にして放射状に前記本体部から突き出ている。
前記本体部が電波を透過する電波透過材である。
反射器は検出対象である移動体に取り付けられる。
【００６１】
実施の形態１において、例えば、以下のような反射体検出装置（３０）について説明した。括弧内に実施の形態で説明した構成のうち対応する構成の符号または名称を示す。
反射体検出装置は、偏波発信部（３１）と、偏波受信部（３２）と、反射体検出部（３３）とを備える。
前記偏波発信部は、特定の振動方向に振動する電波を発信偏波として発信する。
前記偏波受信部は、前記偏波発信部によって発信された前記発信偏波が進行した進行先で反射して後方散乱した電波を受信偏波として受信する。
前記反射体検出部は、前記偏波受信部によって受信された受信偏波のうち前記発信偏波と異なる振動方向に振動する受信偏波の受信結果に基づいて、前記発信偏波を前記発信偏波の振動方向と異なる方向に振動させて反射する反射体（反射器１０または反射器１０を取り付けた移動体）が前記進行先に位置しているか否かを判定する。
【００６２】
反射体検出装置は、前記反射体の上空を飛行する飛行体に備えられ、前記反射体の上空で前記発信偏波を発信して前記受信偏波を受信する。
【００６３】
実施の形態２．
立体形状ではなく平面形状を成す反射器について説明する。
以下、実施の形態１と異なる事項について主に説明する。説明を省略する事項については実施の形態１と同様である。
【００６４】
図８は、実施の形態２における反射シート５０を表す図である。
実施の形態２における反射シート５０について、図８に基づいて説明する。
【００６５】
反射シート５０（反射器の一例）は、移動体の少なくとも一部の表面に設けられる。例えば、反射シート５０は、船舶の甲板などに敷かれる、または貼り付けられる。また、反射シート５０は船舶のマストなどに吊り下げても構わない。
【００６６】
反射シート５０（反射器の一例）は、平面状の電波透過材５１（例えば、布）と、平面状の電波透過材５１にランダムな向きで平面状に並べて配置される複数の導線５２とを備える。
複数の導線５２は、電波透過材５１に埋め込まれ、または、電波透過材５１の表面に張り付けられる。
その他、長さ、太さ、形状など、導線５２の特徴については、実施の形態１で説明した導線１２と同様である。
【００６７】
複数の導線５２をランダムな向きで配置することにより、どの方向からレーダー波が入射しても、少なくともいずれかの導線５２が、入射したレーダー波の振動方向を変えて入射方向へ後方散乱することができる。
【００６８】
反射シート５０は、実施の形態１で説明した反射器１０と同様の効果を奏する。
また、反射シート５０は折りたたみが可能なため、未使用時の収納または使用時の持ち運びなど、反射シート５０の取り扱いが容易である。
【００６９】
反射シート５０は、物体（例えば、移動体）をカモフラージュするために用いることもできる。
この場合、物体をカモフラージュするために、反射シート５０で物体を覆う。これにより、物体を検出するためのレーダー波をランダムな振動方向で後方散乱することができる。このとき、レーダー装置は、反射シート５０で後方散乱したレーダー波と、森または雲などで体積散乱したレーダー波とを区別することができないため、移動体を検出できない。
【００７０】
実施の形態２において、例えば、以下のような反射器（５０）について説明した。括弧内に実施の形態で説明した構成のうち対応する構成の符号または名称を示す。
本体部（電波透過材５１）が平面状のシートであり、複数の電波散乱体（５２）が異なる向きで前記シートに平面状に並べて配置される。
前記複数の電波散乱体が前記シートの全体にランダムな向きで配置される。
前記シートが電波を透過する電波透過材である。
反射器は、検出対象である移動体の少なくとも一部の表面に設けられる。
【００７１】
実施の形態３．
実施の形態１、２では、立体形状の反射器１０または平面形状の反射シート５０を移動体に取り付ける形態について説明した。
但し、複数の導線を含んだ塗料を移動体に塗布しても構わない。移動体に塗布された塗料に含まれる複数の導線のうち少なくともいずれかの導線によって、特定の振動方向に振動しながら移動体に入射したレーダー波を、異なる方向に振動させて、レーダー波が入射した入射方向へ反射させることができる。
したがって、複数の導線を含んだ塗料を移動体に塗布することにより、反射器１０および反射シート５０と同様の効果を奏することができる。
【００７２】
各実施の形態において、導線は誘電体で作られた誘電体線に置き換えてもよい。例えば、細長い木材（誘電体線の一例）を導線の代わりに用いてもよい。なお、誘電率が高いほど後方散乱の強度が高まるため、誘電率が高い誘電体線が好ましい。
また、電波を散乱（反射）する細長い線状の電波散乱体（導線または誘電体線を除く）を導線または誘電体線の代わりに用いても構わない。
【符号の説明】
【００７３】
１０  反射器、１１  本体部、１２  導線、１３  回転軸、２０  海面、２１  捜索船舶、２２  ＳＡＲ衛星、２３  ＳＡＲ、３０  ＳＡＲ処理装置、３１  レーダー波送信部、３２  レーダー波受信部、３３  船舶検出部、３９  ＳＡＲ画像生成部、４１  海面散乱、４２  反射器散乱、５０  反射シート、５１  電波透過材、５２  導線、９０  リフレクター、９１  三面コーナー。
【図１】
2014096646.tif 000003
【図２】
2014096646.tif 000004
【図３】
2014096646.tif 000005
【図４】
2014096646.tif 000006
【図５】
2014096646.tif 000007
【図６】
2014096646.tif 000008
【図７】
2014096646.tif 000009
【図８】
2014096646.tif 000010
【図９】
2014096646.tif 000011